(57)【要約】【課題】パフォーマンスの低下を抑止することのできる画像形成装置および画像形成装置の制御プログラムを提供する。【解決手段】画像形成装置は、複数のユーザーの各々に割り当てられた記憶領域であるボックス領域を有する第１のＨＤＤ（Ｈａｒｄ  Ｄｉｓｋ  Ｄｒｉｖｅ）と、第１のＨＤＤの容量よりも大きな容量を有する第２のＨＤＤと、不揮発メモリとを備える。画像形成装置は、第２のＨＤＤが故障した場合に、第１のＨＤＤに保存されたデータの中から移動対象データを決定し、移動対象データを第１のＨＤＤからフラッシュメモリに移動する。画像形成装置は、第１のＨＤＤの記憶領域であって、移動対象データを移動した結果空いた記憶領域に、データを一時的に保存する。画像形成装置は、第１のＨＤＤのボックス領域に保存されたデータを移動対象データに含める。【選択図】図６
2016139252.tif 000002
【特許請求の範囲】
【請求項１】
複数のユーザーの各々に割り当てられた記憶領域であるボックス領域を有する第１のＨＤＤ（Ｈａｒｄ  Ｄｉｓｋ  Ｄｒｉｖｅ）と、
前記第１のＨＤＤの容量よりも大きな容量を有する第２のＨＤＤと、
不揮発メモリと、
前記第２のＨＤＤが故障した場合に、前記第１のＨＤＤに保存されたデータの中から移動対象データを決定する移動決定手段と、
前記移動対象データを前記第１のＨＤＤから前記不揮発メモリに移動する移動手段と、
前記第１のＨＤＤの記憶領域であって、前記移動対象データを移動した結果空いた記憶領域に、データを一時的に保存する一時保存手段とを備え、
前記移動決定手段は、前記第１のＨＤＤの前記ボックス領域に保存されたデータを前記移動対象データに含める、画像形成装置。
【請求項２】
前記移動決定手段は、前記第１のＨＤＤに保存されたデータの中から、送信成功したアドレスデータ、サービスモードの描画データ、ジョブ履歴データ、および複数のユーザーによって共有された記憶領域である共有ボックス領域に保存されたデータのうち少なくとも１つのデータを前記移動対象データとしてさらに決定する、請求項１に記載の画像形成装置。
【請求項３】
前記移動決定手段は、前記第１のＨＤＤに保存されたデータの中から、送信成功したアドレスデータを前記移動対象データとしてさらに決定する、請求項２に記載の画像形成装置。
【請求項４】
前記移動決定手段は、前記第１のＨＤＤに保存されたデータの中から、サービスモードの描画データを前記移動対象データとしてさらに決定する、請求項２または３に記載の画像形成装置。
【請求項５】
前記移動決定手段は、前記第１のＨＤＤに保存されたデータの中から、ジョブ履歴データを前記移動対象データとしてさらに決定する、請求項２〜４のいずれかに記載の画像形成装置。
【請求項６】
前記移動決定手段は、前記第１のＨＤＤに保存されたデータの中から、前記共有ボックス領域に保存されたデータを前記移動対象データとしてさらに決定する、請求項２〜５のいずれかに記載の画像形成装置。
【請求項７】
前記移動決定手段は、前記共有ボックス領域に保存されたデータのうち、少なくとも一人のユーザーによって読み出されたデータを前記移動対象データとしてさらに決定する、請求項６に記載の画像形成装置。
【請求項８】
前記移動決定手段は、前記第１のＨＤＤに保存されたデータのうち、読み込み画像、カウンターデータ、サービスモード以外の描画データ、および音声データを前記移動対象データから除外する、請求項１〜７のいずれかに記載の画像形成装置。
【請求項９】
前記移動決定手段にて決定した前記移動対象データのサイズと、前記不揮発メモリの空き容量とを比較する比較手段と、
前記移動対象データのサイズが前記不揮発性メモリの空き容量よりも大きい場合に、前記移動対象データのサイズが前記不揮発性メモリの空き容量以下となるように、前記移動対象データの一部を前記移動対象データから除外する除外手段とをさらに備えた、請求項１〜８のいずれかに記載の画像形成装置。
【請求項１０】
前記除外手段は、前記移動対象データのサイズが前記不揮発メモリの空き容量よりも小さい場合に、前記移動対象データの一部を前記移動対象データから除外しない、請求項９に記載の画像形成装置。
【請求項１１】
前記移動対象データの少なくとも一部を復帰対象データとして決定する復帰決定手段と、
前記一時保存手段にてデータを一時的に保存した後で、前記移動対象データを移動した結果空いた記憶領域に、前記復帰対象データを前記不揮発性メモリから復帰させる復帰手段とをさらに備えた、請求項１〜１０のいずれかに記載の画像形成装置。
【請求項１２】
前記復帰決定手段は、複数のユーザーによって共有された記憶領域である共有ボックス領域に保存されたデータが前記移動対象データに含まれている場合において、前記共有ボックス領域に保存されたデータが、共有する全てのユーザーによって読み出されたときは、前記共有ボックス領域に保存されたデータを、前記復帰対象データとして決定する、請求項１１に記載の画像形成装置。
【請求項１３】
前記復帰決定手段は、画像データを一時的に保存する処理を含むジョブが終了した場合に、前記移動対象データの全部を復帰対象データとして決定する、請求項１１または１２に記載の画像形成装置。
【請求項１４】
前記復帰決定手段は、前記画像形成装置の電源がオフされる場合に、前記移動対象データの全部を復帰対象データとして決定する、請求項１１〜１３のいずれかに記載の画像形成装置。
【請求項１５】
前記復帰決定手段は、前記移動対象データにサービスモードの描画データが含まれている場合において、サービスメニューが表示されたときは、サービスモードの描画データを復帰対象データとして決定する、請求項１１〜１４のいずれかに記載の画像形成装置。
【請求項１６】
前記移動手段は、実行したジョブに関する画像データを一時保存するＨＤＤが無い場合に、前記移動対象データを前記第１のＨＤＤから前記不揮発メモリに移動する、請求項１〜１５のいずれかに記載の画像形成装置。
【請求項１７】
複数のユーザーの各々に割り当てられた記憶領域であるボックス領域を有する第１のＨＤＤ（Ｈａｒｄ  Ｄｉｓｋ  Ｄｒｉｖｅ）と、前記第１のＨＤＤ容量よりも大きな容量を有する第２のＨＤＤと、不揮発メモリとを備えた画像形成装置の制御プログラムであって、
前記第２のＨＤＤが故障した場合に、前記第１のＨＤＤに保存されたデータの中から移動対象データを決定する移動決定ステップと、
前記移動対象データを前記第１のＨＤＤから前記不揮発メモリに移動する移動ステップと、
前記第１のＨＤＤの記憶領域であって、前記移動対象データを移動した結果空いた記憶領域に、データを一時的に保存する一時保存ステップとをコンピューターに実行させるためのものであり、
前記移動決定ステップにおいて、前記第１のＨＤＤの前記ボックス領域に保存されたデータを前記移動対象データに含める、画像形成装置の制御プログラム。
【発明の詳細な説明】
【技術分野】
【０００１】
本発明は、画像形成装置および画像形成装置の制御プログラムに関する。より特定的には、本発明は、第１および第２のＨＤＤ（Ｈａｒｄ  Ｄｉｓｋ  Ｄｒｉｖｅ）を備えた画像形成装置および画像形成装置の制御プログラムに関する。
【背景技術】
【０００２】
画像形成装置の一つであるＭＦＰ（Ｍｕｌｔｉｆｕｎｃｔｉｏｎ  Ｐｅｒｉｐｈｅｒａｌ）は、スキャナー機能、複写機能、プリンターとしての機能、ファクシミリ機能、データ通信機能、およびサーバー機能を備えている。
【０００３】
近年のＭＦＰは、不揮発メモリ（フラッシュＳＳＤ（Ｓｏｌｉｄ  Ｓｔａｔｅ  Ｄｒｉｖｅ））と、ＨＤＤとを記憶装置として備えている。一般的に、不揮発メモリにはファームウエアのデータが保存され、ＨＤＤには画像データなどの大容量データが保存される。また近年のＭＦＰは、ＨＤＤの故障による重要なデータの消失を防止するため、２つのＨＤＤを備えている。２つのＨＤＤの各々には、ミラーリングにより同一のデータが保存（バックアップ）される。
【０００４】
ＨＤＤの規格（サイズ）には、２．５インチのものと３．５インチのものとがある。２．５インチのＨＤＤは、高い信頼性を有する一方で、単位容量当たりの単価が高いという特色を有している。３．５インチのＨＤＤは、信頼性がやや低い一方で、単位容量当たりの単価が安いという特色を有している。ＭＦＰは、標準構成として２．５インチのＨＤＤを搭載し、オプションの構成として３．５インチのＨＤＤを搭載する場合がある。この場合、２つのＨＤＤの容量は互いに異なっている。
【０００５】
容量の異なる２つのＨＤＤでバックアップストレージを構成した場合、バックアップに用いられる領域（バックアップ領域、バックアップストレージ）のサイズは、容量の小さいＨＤＤに合わせて決定される。容量の大きいＨＤＤにおけるバックアップ領域以外の領域は、一時的に保存するデータ（バックアップする必要の無いデータ）を保存する一時保存領域として使用される。一時的に保存するデータとは、たとえば、コピージョブの際の読み込み画像や、その圧縮データなどである。
【０００６】
なお、たとえば下記特許文献１および２には、データのバックアップに関する技術が開示されている。下記特許文献１には、ＮＡＮＤ型フラッシュメモリの寿命の低下を防止するために、フラッシュメモリへのアクセス回数を管理し、アクセス回数が過多になった場合に、別のストレージにデータを移行する技術が開示されている。
【０００７】
下記特許文献２には、バックアップデータを他のストレージに移動またはコピーする際に、バックアップ元の情報をバックアップデータとともにバックアップ先に保存する技術が開示されている。これにより、バックアップ元とバックアップ先との間でデータをリンクすることが可能となる。
【先行技術文献】
【特許文献】
【０００８】
【特許文献１】特開２０１１−１２８８９５号公報
【特許文献２】特開２０１３−８０３８０号公報
【発明の概要】
【発明が解決しようとする課題】
【０００９】
図１３および図１４は、従来の画像形成装置の問題点を説明する図である。
【００１０】
図１３を参照して、従来の画像形成装置は、容量の異なる第１のＨＤＤおよび第２のＨＤＤと、フラッシュメモリとを備えている。容量の大きい第２のＨＤＤが故障した場合、一時保存領域を使用することができなくなる。このため、データを一時的に保存することができず、画像形成装置のパフォーマンスが低下する。
【００１１】
画像形成装置のパフォーマンスの低下を抑止する方法として、容量の小さい第１のＨＤＤに保存されているデータの一部であるデータＤＡを、フラッシュメモリに移動する方法が考えられる。この方法によれば、データＤＡの移動によって空いた第１のＨＤＤ内の領域を新たに一時保存領域として使用することができる。しかし、この方法では、フラッシュメモリに保存するデータを頻繁に書き換える必要がある。フラッシュメモリは書き換え回数が限られているため、フラッシュメモリが早期に寿命に達し、フラッシュメモリを交換する必要が生じるため、画像形成装置のパフォーマンスが低下する。加えて、この方法では、データＤＡが音声データやパネル画像データなどのサイズの大きいデータを含む場合、データＤＡのサイズをファイル単位に小さく分割し、データＤＡを第１のＨＤＤおよびフラッシュメモリに分けて保存する必要がある。その結果、画像形成装置の制御処理が増加し、音声データが再生の遅れや、操作パネルの描画レスポンスの低下などが生じ、画像形成装置のパフォーマンスが低下する。
【００１２】
図１４を参照して、画像形成装置のパフォーマンスの低下を抑止する方法として、第１のＨＤＤのボックス領域内の未使用の領域の一部を一時保存領域として使用する方法も考えられる。すなわち、第１および第２のＨＤＤの各々のバックアップ領域は、複数のユーザーの各々に割り当てられた記憶領域であるボックス領域を含んでいる。第１および第２のＨＤＤの各々には、通常、１３０ＧＢ程度の大容量のボックス領域が割り当てられている。ボックス領域には、ユーザーが画像データなどを保存している領域と、未使用の領域とが含まれている。そこで、第１のＨＤＤのボックス領域内の未使用の領域の一部（０．５ＧＢ程度）を一時保存領域として使用する方法も考えられる。しかし、この方法では、ボックス領域の容量が小さくなるため、ユーザーが画像データなどを保存可能な領域が小さくなり、画像形成装置のパフォーマンスが低下する。
【００１３】
本発明は、上記課題を解決するためのものであり、その目的は、パフォーマンスの低下を抑止することのできる画像形成装置および画像形成装置の制御プログラムを提供することである。
【課題を解決するための手段】
【００１４】
本発明の一の局面に従う画像形成装置は、複数のユーザーの各々に割り当てられた記憶領域であるボックス領域を有する第１のＨＤＤと、第１のＨＤＤの容量よりも大きな容量を有する第２のＨＤＤと、不揮発メモリと、第２のＨＤＤが故障した場合に、第１のＨＤＤに保存されたデータの中から移動対象データを決定する移動決定手段と、移動対象データを第１のＨＤＤから不揮発メモリに移動する移動手段と、第１のＨＤＤの記憶領域であって、移動対象データを移動した結果空いた記憶領域に、データを一時的に保存する一時保存手段とを備え、移動決定手段は、第１のＨＤＤのボックス領域に保存されたデータを移動対象データに含める。
【００１５】
上記画像形成装置において好ましくは、移動決定手段は、第１のＨＤＤに保存されたデータの中から、送信成功したアドレスデータ、サービスモードの描画データ、ジョブ履歴データ、および複数のユーザーによって共有された記憶領域である共有ボックス領域に保存されたデータのうち少なくとも１つのデータを移動対象データとしてさらに決定する。
【００１６】
上記画像形成装置において好ましくは、移動決定手段は、第１のＨＤＤに保存されたデータの中から、送信成功したアドレスデータを移動対象データとしてさらに決定する。
【００１７】
上記画像形成装置において好ましくは、移動決定手段は、第１のＨＤＤに保存されたデータの中から、サービスモードの描画データを移動対象データとしてさらに決定する。
【００１８】
上記画像形成装置において好ましくは、移動決定手段は、第１のＨＤＤに保存されたデータの中から、ジョブ履歴データを移動対象データとしてさらに決定する。
【００１９】
上記画像形成装置において好ましくは、移動決定手段は、第１のＨＤＤに保存されたデータの中から、共有ボックス領域に保存されたデータを移動対象データとしてさらに決定する。
【００２０】
上記画像形成装置において好ましくは、移動決定手段は、共有ボックス領域に保存されたデータのうち、少なくとも一人のユーザーによって読み出されたデータを移動対象データとしてさらに決定する。
【００２１】
上記画像形成装置において好ましくは、移動決定手段は、第１のＨＤＤに保存されたデータのうち、読み込み画像、カウンターデータ、サービスモード以外の描画データ、および音声データを移動対象データから除外する。
【００２２】
上記画像形成装置において好ましくは、移動決定手段にて決定した移動対象データのサイズと、不揮発メモリの空き容量とを比較する比較手段と、移動対象データのサイズが不揮発性メモリの空き容量よりも大きい場合に、移動対象データのサイズが不揮発性メモリの空き容量以下となるように、移動対象データの一部を移動対象データから除外する除外手段とをさらに備える。
【００２３】
上記画像形成装置において好ましくは、除外手段は、移動対象データのサイズが不揮発メモリの空き容量よりも小さい場合に、移動対象データの一部を移動対象データから除外しない。
【００２４】
上記画像形成装置において好ましくは、移動対象データの少なくとも一部を復帰対象データとして決定する復帰決定手段と、一時保存手段にてデータを一時的に保存した後で、移動対象データを移動した結果空いた記憶領域に、復帰対象データを不揮発性メモリから復帰させる復帰手段とをさらに備える。
【００２５】
上記画像形成装置において好ましくは、復帰決定手段は、複数のユーザーによって共有された記憶領域である共有ボックス領域に保存されたデータが移動対象データに含まれている場合において、共有ボックス領域に保存されたデータが、共有する全てのユーザーによって読み出されたときは、共有ボックス領域に保存されたデータを、復帰対象データとして決定する。
【００２６】
上記画像形成装置において好ましくは、復帰決定手段は、画像データを一時的に保存する処理を含むジョブが終了した場合に、移動対象データの全部を復帰対象データとして決定する。
【００２７】
上記画像形成装置において好ましくは、復帰決定手段は、画像形成装置の電源がオフされる場合に、移動対象データの全部を復帰対象データとして決定する。
【００２８】
上記画像形成装置において好ましくは、復帰決定手段は、移動対象データにサービスモードの描画データが含まれている場合において、サービスメニューが表示されたときは、サービスモードの描画データを復帰対象データとして決定する。
【００２９】
上記画像形成装置において好ましくは、移動手段は、実行したジョブに関する画像データを一時保存するＨＤＤが無い場合に、移動対象データを第１のＨＤＤから不揮発メモリに移動する。
【００３０】
本発明のさらに他の局面に従う画像形成装置の制御プログラムは、複数のユーザーの各々に割り当てられた記憶領域であるボックス領域を有する第１のＨＤＤと、第１のＨＤＤ容量よりも大きな容量を有する第２のＨＤＤと、不揮発メモリとを備えた画像形成装置の制御プログラムであって、第２のＨＤＤが故障した場合に、第１のＨＤＤに保存されたデータの中から移動対象データを決定する移動決定ステップと、移動対象データを第１のＨＤＤから不揮発メモリに移動する移動ステップと、第１のＨＤＤの記憶領域であって、移動対象データを移動した結果空いた記憶領域に、データを一時的に保存する一時保存ステップとをコンピューターに実行させるためのものであり、移動決定ステップにおいて、第１のＨＤＤのボックス領域に保存されたデータを移動対象データに含める。
【発明の効果】
【００３１】
本発明によれば、利便性を向上することのできる画像形成装置および画像形成装置の制御プログラムを提供することができる。
【図面の簡単な説明】
【００３２】
【図１】本発明の一実施の形態における画像形成装置１００の外観を示す図である。
【図２】本発明の一実施の形態における画像形成装置１００のハードウェア構成を示すブロック図である。
【図３】本発明の一実施の形態におけるバックアップ制御部１２０および記憶部１３０の詳細な構成を示すブロック図である。
【図４】本発明の一実施の形態における画像形成装置１００の動作を説明する第１の図である。
【図５】本発明の一実施の形態における画像形成装置１００の動作を説明する第２の図である。
【図６】本発明の一実施の形態における画像形成装置１００の動作を説明する第３の図である。
【図７】本発明の一実施の形態における画像形成装置１００の動作を説明する第４の図である。
【図８】本発明の一実施の形態におけるフラッシュメモリへ移動可能なデータの種類と、フラッシュメモリへ移動不可能なデータの種類とを模式的に示す図である。
【図９】本発明の一実施の形態における画像形成装置１００の動作を説明する第５の図である。
【図１０】本発明の一実施の形態における画像形成装置１００の動作を示すフローチャートである。
【図１１】図１０の移動対象データ決定処理のサブルーチンである。
【図１２】図１０の復元判定処理のサブルーチンである。
【図１３】従来の画像形成装置の問題点を説明する第１の図である。
【図１４】従来の画像形成装置の問題点を説明する第２の図である。
【発明を実施するための形態】
【００３３】
以下、本発明の一実施の形態について、図面に基づいて説明する。
【００３４】
本実施の形態では、画像形成装置がＭＦＰである場合について説明する。画像形成装置は、ＭＦＰの他、ファクシミリ装置、プリンター、または複写機などであってもよい。
【００３５】
［画像形成装置の構成］
【００３６】
始めに、画像形成装置の構成について説明する。
【００３７】
図１は、本発明の一実施の形態における画像形成装置１００の外観を示す図である。
【００３８】
図１を参照して、本実施の形態における画像形成装置１００は、ＭＦＰであり、スキャナー機能、複写機能、プリンターとしての機能、ファクシミリ機能、データ通信機能、およびサーバー機能を備えている。画像形成装置１００は、ＨＤＤ１３１（第１のＨＤＤの一例）およびＨＤＤ１３２（第２のＨＤＤの一例）を内蔵している。
【００３９】
図２は、本発明の一実施の形態における画像形成装置１００のハードウェア構成を示すブロック図である。
【００４０】
図２を参照して、画像形成装置１００は、メインＣＰＵ１１０と、バックアップ制御部１２０と、記憶部１３０と、システムメモリ１４０と、不揮発メモリ１４５と、ＲＴＣ（Ｒｅａｌ−Ｔｉｍｅ  Ｃｌｏｃｋ）１５０と、ネットワークＩ／Ｆ１５５と、操作部１６０と、表示部１６５と、読取部１７０と、画像形成部（出力部）１７５とを備えている。メインＣＰＵ１１０と、バックアップ制御部１２０、システムメモリ１４０、不揮発メモリ１４５、ＲＴＣ１５０、ネットワークＩ／Ｆ１５５、操作部１６０、表示部１６５、読取部１７０、および画像形成部１７５の各々とは、相互に接続されている。バックアップ制御部１２０は、記憶部１３０と相互に接続されている。
【００４１】
メインＣＰＵ１１０は、画像形成装置全体の動作を制御する。バックアップ制御部１２０は、記憶部１３０へのデータの書き込みおよび記憶部１３０からのデータの読み出しを行う。記憶部１３０は、補助記憶装置であり、各種データを記憶する。システムメモリ１４０は、ＲＡＭ（Ｒａｎｄｏｍ  Ａｃｃｅｓｓ  Ｍｅｍｏｒｙ）であり、メインＣＰＵ１１０の作業用のメモリである。不揮発メモリ１４５は、メインＣＰＵ１１０が実行する制御プログラムや各種テーブルなどを記憶する。ネットワークＩ／Ｆ１５５は、ネットワークを通じて、ネットワーク上の外部機器（図示無し）との間で各種の情報を送受信する。操作部１６０は、操作パネルを通じて各種操作を受け付ける。表示部１６５は、操作パネル（図示無し）に各種情報を表示する。読取部１７０は、原稿の画像を読み取る。
【００４２】
画像形成部１７５は、おおまかに、トナー像形成部、定着装置、および用紙搬送部などで構成される。画像形成部１７５は、たとえば電子写真方式で用紙に画像を形成する。トナー像形成部は、いわゆるタンデム方式で４色の画像を合成し、用紙（記録媒体）にカラー画像を形成する。トナー像形成部は、Ｃ（シアン）、Ｍ（マゼンタ）、Ｙ（イエロー）、Ｋ（ブラック）の各色について設けられた感光体と、感光体からトナー像が転写（１次転写）される中間転写ベルトと、中間転写ベルトから用紙に画像を転写（２次転写）する転写部などで構成される。定着装置は、加熱ローラーおよび加圧ローラーを有する。定着装置は、加熱ローラーと加圧ローラーとでトナー像が形成された用紙を挟みながら搬送し、その用紙に加熱および加圧を行なう。これにより、定着装置は、用紙に付着したトナーを溶融させて用紙に定着させ、用紙に画像を形成する。用紙搬送部は、給紙ローラー、搬送ローラー、およびそれらを駆動するモーターなどで構成されている。用紙搬送部は、用紙を給紙カセットから給紙して、画像形成装置１００の筐体の内部で搬送する。また、用紙搬送部は、画像が形成された用紙を画像形成装置１００の筐体から排紙トレイなどに排出する。
【００４３】
図３は、本発明の一実施の形態におけるバックアップ制御部１２０および記憶部１３０の詳細な構成を示すブロック図である。図３以降の図面においては、ＨＤＤ１３１を第１のＨＤＤと記し、ＨＤＤ１３２を第２のＨＤＤと記すことがある。
【００４４】
図３を参照して、記憶部１３０は、ＨＤＤ１３１と、ＨＤＤ１３２と、フラッシュメモリ１３３（不揮発メモリの一例）とを含んでいる。ＨＤＤ１３２は、ＨＤＤ１３１の容量よりも大きな容量を有している。フラッシュメモリ１３３は、たとえばＮＡＮＤ型フラッシュメモリなどよりなっている。
【００４５】
バックアップ制御部１２０は、ＣＰＵ、ＲＡＭ、およびＲＯＭなどによって構成されている。バックアップ制御部１２０は、データ判断部１２１と、アクセス制御部１２２と、バックアップシステムコントローラー１２３とを含んでいる。データ判断部１２１は、ＨＤＤ１３２が故障した場合に、ＨＤＤ１３１に保存されたデータの中から移動対象データを決定する。またデータ判断部１２１は、所要のタイミングで、移動対象データの一部を復帰対象データに決定する。移動対象データとは、ＨＤＤ１３１からフラッシュメモリ１３３に移動するデータである。復帰対象データとは、フラッシュメモリ１３３からＨＤＤ１３１に復帰させるデータである。アクセス制御部１２２は、ＨＤＤ１３１および１３２の各々へのデータの書き込みと、ＨＤＤ１３１および１３２の各々からのデータの読み出しとを行う。バックアップシステムコントローラー１２３は、所要のデータをミラーリングによりＨＤＤ１３１および１３２の各々にバックアップ（保存）する。またバックアップシステムコントローラー１２３は、ＨＤＤ１３１および１３２の各々の記憶領域を管理する。
【００４６】
［画像形成装置の動作］
【００４７】
続いて、画像形成装置の動作について、図４〜図９を用いて説明する。
【００４８】
図４を参照して、ＨＤＤ１３１および１３２、ならびにフラッシュメモリ１３３がいずれも正常である場合、ＨＤＤ１３１および１３２は、バックアップストレージシステムを構成している。フラッシュメモリ１３３には、ファームウエアが保存されている。
【００４９】
ＨＤＤ１３１は、その全部が、長期保存する必要のあるデータをバックアップする記憶領域であるバックアップ領域として使用される。ＨＤＤ１３２は、ＨＤＤ１３１の容量と同じ容量を有する記憶領域がバックアップ領域として使用される。ＨＤＤ１３１および１３２の各々のバックアップ領域には、ミラーリングにより同一のデータが保存される。ＨＤＤ１３２の残りの記憶領域は、一時保存領域として使用される。一時保存領域は、長期保存の必要の無いデータである一時保存データを保存する記憶領域である。一時保存領域は、システムメモリ１４０には一度には保存することができないような大きいサイズのデータを一時的に記憶する場合や、システムメモリ１４０の空き容量が少ない場合などに補助的に用いられる。
【００５０】
ＨＤＤ１３１および１３２の各々のバックアップ領域には、たとえばウェブ閲覧用ブラウザアプリ、管理データ、画像データ、音声データ、パネル描画データ、およびアドレスデータなどが保存されている。バックアップ領域は、複数のユーザーの各々に割り当てられた記憶領域であるボックス領域と、その他のデータ（各種アプリケーションのデータなど）が保存される記憶領域であるアプリ領域とを含んでいる。ボックス領域には、ユーザーによって保存されたデータであるボックスデータが保存されている。
【００５１】
図５を参照して、ＨＤＤ１３２が故障した場合、ＨＤＤ１３２に保存されていたすべてのデータは消失する。しかし、ＨＤＤ１３２のバックアップ領域に保存されていたデータは、ＨＤＤ１３１のバックアップ領域にも保存されているため、画像形成装置１００は継続して動作することができる。
【００５２】
ＨＤＤ１３２が故障した場合において、スキャンジョブ、コピージョブ、またはプリントジョブなどの、画像データを一時的に保存する必要のあるジョブを実行するときは、実行したジョブに関する画像データを一時保存するＨＤＤが無くなる。画像形成装置１００は、システムメモリ１４０に一時保存しているデータを出力しない限り画像データを一時保存することができなくなる。その結果、画像形成装置１００のパフォーマンスが著しく低下する。
【００５３】
図６を参照して、上述のようなときに、画像形成装置１００のパフォーマンスの低下を抑止するために、バックアップ制御部１２０は、次の動作を行う。バックアップ制御部１２０は、ＨＤＤ１３２が故障した場合において、画像データを一時的に保存する必要のあるジョブを実行するときは、ＨＤＤ１３１に保存されたデータの中から移動対象データを決定する。このときバックアップ制御部１２０は、ＨＤＤ１３１の個人のボックス領域に保存されたデータであるボックスデータを移動対象データに含める。そしてバックアップ制御部１２０は、移動対象データをＨＤＤ１３１からフラッシュメモリ１３３に移動（退避）する。
【００５４】
図７を参照して、移動対象データを移動した結果、ボックス領域は、ＨＤＤ１３１とフラッシュメモリ１３３とに分かれて存在する。バックアップ制御部１２０は、ＨＤＤ１３１の記憶領域において、移動対象データを移動した結果空いた記憶領域を一時保存領域として使用し、データを一時的に保存する。バックアップ制御部１２０は、フラッシュメモリ１３３へのデータの一時保存を行わない。
【００５５】
なお、バックアップ制御部１２０は、フラッシュメモリ１３３の空き容量と、移動対象データのサイズとを比較し、移動対象データのサイズの方が大きければ、移動対象データのサイズがフラッシュメモリ１３３の空き容量以下となるように、移動対象データの一部を移動対象データから除外してもよい。バックアップ制御部１２０は、フラッシュメモリ１３３のサイズの方が大きければ、移動対象データの一部を移動対象データから除外しないようにしてもよい。
【００５６】
図８は、本発明の一実施の形態におけるフラッシュメモリへ移動可能なデータの種類と、フラッシュメモリへ移動不可能なデータの種類とを模式的に示す図である。
【００５７】
図８を参照して、フラッシュメモリへ移動可能なデータは、書き換え頻度が低く、書き込みまたは読み出し時に高いパフォーマンスが要求されないデータ（たとえば、一定サイズ（５００ＭＢ）以上のデータ）である。これらのデータを移動対象データとして決定することで、フラッシュメモリが早期に寿命に達することを抑止することができ、画像形成装置１００のパフォーマンスを維持することができる。
【００５８】
具体的には、フラッシュメモリへ移動可能なデータは、個人のボックス領域に保存されたボックスデータ、送信成功したアドレスデータ、サービスモードのパネル描画データ、ボックス領域に保存されたジョブ履歴、または共有ボックス領域に保存された共有データでなどである。
【００５９】
ユーザーが個人のボックス領域にボックスデータを保存した場合、そのボックスデータに対して今後行われる操作は、閲覧または印刷といった読み出しだけになる可能性が高い。したがって、ボックスデータは書き換えられる頻度が低い。加えて、ボックスデータは、ユーザーが読み出すデータサイズが限られており、ユーザーの個別の環境にて使用されることが多い。このため、読み出し速度が遅くても画像形成装置１００のパフォーマンスに影響することはない。
【００６０】
アドレスデータとは、電子メールアドレスのデータやファクシミリ送信先のアドレスのデータなど、データの送信先のアドレスのデータである。アドレスデータのうち一度でも送信に成功したアドレスデータは、その内容が正しいことが明らかであり、今後修正が行われる可能性は低い。したがって、送信成功したアドレスデータは、書き換えられる可能性が低い。一方、送信に成功していないアドレスデータは、その内容が誤っている可能性があり、今後修正が行われる可能性がある。加えて、アドレスデータを読み出すのは、データを送信する際のアドレス設定時のみである。このため、読み出し速度が遅くても画像形成装置１００のパフォーマンスに影響することはない。
【００６１】
サービスモードのパネル描画データは、サービスマンが画像形成装置を設置する場合や追加機能を変更する場合にのみ画像形成装置１００の表示部１６５に表示されるデータである。このため、ユーザーが画像形成装置１００を通常利用している場合には、サービスモードのパネル描画データは、書き換えられることはない。加えて、サービスモードのパネル描画データは、読み出し速度が遅くても画像形成装置１００のパフォーマンスに影響することはない。
【００６２】
画像形成装置１００がコピー履歴などのジョブ履歴をボックス領域に保存する機能を有している場合、各ユーザーのジョブ履歴は履歴データとして本人のボックス領域に保存される。ジョブ履歴は、書き換えられることはない。
【００６３】
画像形成装置１００が、複数のユーザーによって共有された記憶領域である共有ボックス領域を有する場合、共有ボックス領域に保存されたデータである共有データは、複数のユーザーによって閲覧され、使用される。したがって、共有データは書き換えられる可能性が低い。
【００６４】
特に、共有ボックス領域を共有している複数のユーザーのうち少なくとも一人のユーザーによって共有データが読み出された場合、その共有データは残りのユーザーによっても順次読み出される可能性が高い。したがって、少なくとも一人のユーザーによって読み出された共有データは、書き換えられる可能性が特に低い。
【００６５】
フラッシュメモリへ移動不可能なデータは、書き換え頻度が高いデータや、読み込み速度が所定値以上必要となるデータである。具体的には、スキャンジョブまたはコピージョブなどで読み込んだ画像の一時保存データ、カウンターデータ、一般的なパネル描画データ（サービスモード以外のパネル描画データ）、および音声データなどである。これらのデータは、書き換えられる可能性が高い。したがって、これらのデータを移動対象データから除外することで、フラッシュメモリが早期に寿命に達することを抑止することができ、画像形成装置１００のパフォーマンスを維持することができる。
【００６６】
さらに、ボックス領域におけるデータが保存されていない領域をフラッシュメモリに設定（移動）することも好ましくない。この領域は、ユーザーによって新たにデータが保存され、書き換えられる可能性が高いためである。
【００６７】
バックアップ制御部１２０は、ＨＤＤ１３１のボックス領域に保存されたデータのうち、個人のボックス領域に保存されたボックスデータとともに、上述のフラッシュメモリへ移動可能なデータを移動対象データとしてさらに決定してもよい。またバックアップ制御部１２０は、上述のフラッシュメモリへ移動不可能なデータを移動対象データから除外してもよい。
【００６８】
図９を参照して、バックアップ制御部１２０は、所要のタイミングで、移動対象データの少なくとも一部を復帰対象データとして決定する。バックアップ制御部１２０は、一時保存データを一時的に保存した後で、ＨＤＤ１３１の一時保存領域（移動対象データを移動した結果空いた記憶領域）に、復帰対象データをフラッシュメモリ１３３から復帰させる。これにより、フラッシュメモリ１３３の寿命の劣化を招かずに、復帰対象データを書き換えすることができるようになる。
【００６９】
バックアップ制御部１２０は、移動対象データに共有データが含まれている場合において、共有データが共有する全てのユーザーによって読み出されたときは、共有データを復帰対象データとして決定してもよい。このときには、共有データが不要となり削除される可能性が高まるためである。
【００７０】
バックアップ制御部１２０は、画像形成装置１００の電源がオフされる場合や、画像データを一時的に保存する処理を含むジョブ（たとえばスキャンジョブ、コピージョブ、またはプリントジョブなど）が終了した場合に、移動対象データの全部を復帰対象データとして決定してもよい。
【００７１】
バックアップ制御部１２０は、移動対象データにサービスモードの描画データが含まれている場合において、サービスメニューが表示されたときは、サービスモードの描画データを復帰対象データとして決定してもよい。このときには、サービスモードの画面が書き換えられる可能性が高いためである。
【００７２】
図１０は、本発明の一実施の形態における画像形成装置１００の動作を示すフローチャートである。
【００７３】
図１０を参照して、バックアップ制御部１２０のＣＰＵは、記憶部１３０の２つのＨＤＤのうち一方が故障した場合に、スキャンジョブ、コピージョブ、またはプリントジョブなどの、画像データを一時的に保存する必要のあるジョブの動作指示を受け付けると（Ｓ１０１）、正常な（故障していない）ＨＤＤが一時保存領域を有しているか否かを判別する（Ｓ１０３）。
【００７４】
ステップＳ１０３において、正常なＨＤＤが一時保存領域を有していると判別した場合（Ｓ１０３でＹＥＳ）、バックアップ制御部１２０のＣＰＵは、動作指示に基づく動作を実行し（Ｓ１０５）、処理を終了する。
【００７５】
ステップＳ１０３において、正常なＨＤＤが一時保存領域を有していないと判別した場合（Ｓ１０３でＮＯ）、バックアップ制御部１２０のＣＰＵは、移動対象データ決定処理を行い（Ｓ１０７）、移動対象データのサイズがフラッシュメモリ１３３の空き容量以下であるか否かを判別する（Ｓ１０９）。
【００７６】
ステップＳ１０９において、移動対象データのサイズがフラッシュメモリ１３３の空き容量以下であると判別した場合（Ｓ１０９でＹＥＳ）、バックアップ制御部１２０のＣＰＵは、ステップＳ１１３の処理へ進む。
【００７７】
ステップＳ１０９において、移動対象データのサイズがフラッシュメモリ１３３の空き容量より大きいと判別した場合（Ｓ１０９でＮＯ）、バックアップ制御部１２０のＣＰＵは、移動対象データのサイズがフラッシュメモリ１３３の空き容量以下となるように、移動対象データを切り出し（Ｓ１１１）、ステップＳ１１３の処理へ進む。
【００７８】
ステップＳ１１３において、バックアップ制御部１２０のＣＰＵは、正常なＨＤＤからフラッシュメモリ１３３に移動対象データを移動させる（Ｓ１１３）。次にバックアップ制御部１２０のＣＰＵは、動作指示に基づく動作を実行する（Ｓ１１４）。続いてバックアップ制御部１２０のＣＰＵは、復元判定処理を行い（Ｓ１１５）、移動対象データを復元する条件が発生したか否かを判別する（Ｓ１１７）。
【００７９】
ステップＳ１１７において、移動対象データを復元する条件が発生したと判別した場合（Ｓ１１７でＹＥＳ）、バックアップ制御部１２０のＣＰＵは、復元対象データを正常なＨＤＤに復元し（Ｓ１１９）、処理を終了する。
【００８０】
ステップＳ１１７において、移動対象データを復元する条件が発生しないと判別した場合（Ｓ１１７でＮＯ）、バックアップ制御部１２０のＣＰＵは、処理を終了する。
【００８１】
図１１は、図１０の移動対象データ決定処理のサブルーチンである。
【００８２】
図１１を参照して、移動対象データ決定処理において、バックアップ制御部１２０のＣＰＵは、ＨＤＤ１３１の個人のボックス領域に保存済みのデータが存在するか否かを判別する（Ｓ２０１）。
【００８３】
ステップＳ２０１において、ＨＤＤ１３１の個人のボックス領域に保存済みのデータが存在すると判別した場合（Ｓ２０１でＹＥＳ）、バックアップ制御部１２０のＣＰＵは、ボックス領域の保存済みデータを移動対象データとして決定し（Ｓ２０３）、ステップＳ２０５の処理へ進む。
【００８４】
ステップＳ２０１において、ＨＤＤ１３１の個人のボックス領域に保存済みのデータが存在しないと判別した場合（Ｓ２０１でＮＯ）、バックアップ制御部１２０のＣＰＵは、ステップＳ２０５の処理へ進む。
【００８５】
ステップＳ２０５において、バックアップ制御部１２０のＣＰＵは、保存済みのアドレスデータがＨＤＤ１３１内に存在するか否かを判別する（Ｓ２０５）。
【００８６】
ステップＳ２０５において、保存済みのアドレスデータがＨＤＤ１３１内に存在すると判別した場合（Ｓ２０５でＹＥＳ）、バックアップ制御部１２０のＣＰＵは、保存済みのアドレスデータが送信に成功したものであるか否かを判別する（Ｓ２０７）。
【００８７】
ステップＳ２０７において、保存済みのアドレスデータが送信に成功したものであると判別した場合（Ｓ２０７でＹＥＳ）、バックアップ制御部１２０のＣＰＵは、保存済みのアドレスデータを移動対象データとして決定し（Ｓ２０９）、ステップＳ２１１の処理へ進む。
【００８８】
ステップＳ２０５において、保存済みのアドレスデータがＨＤＤ１３１内に存在しないと判別した場合（Ｓ２０５でＮＯ）、またはステップＳ２０７において、保存済みのアドレスデータが送信に成功していないものであると判別した場合（Ｓ２０７でＮＯ）、バックアップ制御部１２０のＣＰＵは、ステップＳ２１１の処理へ進む。
【００８９】
ステップＳ２１１において、バックアップ制御部１２０のＣＰＵは、ジョブ履歴をボックス領域に保存する機能を画像形成装置１００が有しているか否かを判別する（Ｓ２１１）。
【００９０】
ステップＳ２１１において、ジョブ履歴をボックス領域に保存する機能を画像形成装置１００が有していると判別した場合（Ｓ２１１でＹＥＳ）、バックアップ制御部１２０のＣＰＵは、ジョブ履歴をボックス領域に保存する機能を画像形成装置１００のユーザーが実行したか否かを判別する（Ｓ２１３）。
【００９１】
ステップＳ２１３において、ジョブ履歴をボックス領域に保存する機能を画像形成装置１００のユーザーが実行したと判別した場合（Ｓ２１３でＹＥＳ）、バックアップ制御部１２０のＣＰＵは、ボックス領域に保存されたジョブ履歴を移動対象データとして決定し（Ｓ２１５）、ステップＳ２１７の処理へ進む。
【００９２】
ステップＳ２１１において、ジョブ履歴をボックス領域に保存する機能を画像形成装置１００が有していないと判別した場合（Ｓ２１１でＮＯ）、またはステップＳ２１３において、ジョブ履歴をボックス領域に保存する機能を画像形成装置１００のユーザーが実行していないと判別した場合（Ｓ２１３でＮＯ）、バックアップ制御部１２０のＣＰＵは、ステップＳ２１７の処理へ進む。
【００９３】
ステップＳ２１７において、バックアップ制御部１２０のＣＰＵは、共有ボックス機能を画像形成装置１００が有しているか否かを判別する（Ｓ２１７）。
【００９４】
ステップＳ２１７において、共有ボックス機能を画像形成装置１００が有していると判別した場合（Ｓ２１７でＹＥＳ）、バックアップ制御部１２０のＣＰＵは、ＨＤＤ１３１の共有ボックス領域に保存済みのデータがあるか否か（共有ボックス機能をユーザーが実行したか否か）を判別する（Ｓ２１９）。
【００９５】
ステップＳ２１９において、ＨＤＤ１３１の共有ボックス領域に保存済みのデータがあると判別した場合（Ｓ２１９でＹＥＳ）、バックアップ制御部１２０のＣＰＵは、少なくとも一人のユーザーが共有ボックスのデータを読み出したか否かを判別する（Ｓ２２１）。
【００９６】
ステップＳ２２１において、少なくとも一人のユーザーが共有ボックスのデータを読み出したと判別した場合（Ｓ２２１でＹＥＳ）、バックアップ制御部１２０のＣＰＵは、読み出された共有ボックスのデータを移動対象データとして決定し（Ｓ２２３）、ステップＳ２２５の処理へ進む。
【００９７】
ステップＳ２１７において、共有ボックス機能を画像形成装置１００が有していないと判別した場合（Ｓ２１７でＮＯ）、ステップＳ２１９において、ＨＤＤ１３１の共有ボックス領域に保存済みのデータが無いと判別した場合（Ｓ２１９でＮＯ）、またはステップＳ２２１において、一人のユーザーも共有ボックスのデータを読み出していないと判別した場合（Ｓ２２１でＮＯ）、バックアップ制御部１２０のＣＰＵは、ステップＳ２２５の処理へ進む。
【００９８】
ステップＳ２２５において、バックアップ制御部１２０のＣＰＵは、サービスモードの描画データがＨＤＤ１３１内に存在するか否かを判別する（Ｓ２２５）。
【００９９】
ステップＳ２２５において、サービスモードの描画データがＨＤＤ１３１内に存在すると判別した場合（Ｓ２２５でＹＥＳ）、バックアップ制御部１２０のＣＰＵは、サービスモードの描画データを移動対象データとして決定し（Ｓ２２７）、リターンする。
【０１００】
ステップＳ２２５において、サービスモードの描画データがＨＤＤ１３１内に存在しないと判別した場合（Ｓ２２５でＮＯ）、バックアップ制御部１２０のＣＰＵは、リターンする。
【０１０１】
図１２は、図１０の復元判定処理のサブルーチンである。
【０１０２】
図１２を参照して、復元判定処理において、バックアップ制御部１２０のＣＰＵは、画像形成装置１００の電源がオフされたか否かを判別する（Ｓ４０１）。
【０１０３】
ステップＳ４０１において、画像形成装置１００の電源がオフされないと判別した場合（Ｓ４０１でＮＯ）、バックアップ制御部１２０のＣＰＵは、スキャンジョブ、コピージョブ、またはプリントジョブが終了したか否かを判別する（Ｓ４０３）。
【０１０４】
ステップＳ４０１において、画像形成装置１００の電源がオフされたと判別した場合（Ｓ４０１でＹＥＳ）、またはステップＳ４０３において、スキャンジョブ、コピージョブ、またはプリントジョブが終了したと判別した場合（Ｓ４０３でＹＥＳ）、バックアップ制御部１２０のＣＰＵは、フラッシュメモリ１３３に移動した全ての移動対象データを復元対象データとして決定し（移動対象データを復元する条件が発生したと決定し）（Ｓ４０５）、リターンする。
【０１０５】
ステップＳ４０３において、スキャンジョブ、コピージョブ、およびプリントジョブのいずれも終了しないと判別した場合（Ｓ４０３でＮＯ）、バックアップ制御部１２０のＣＰＵは、共有ボックス機能を画像形成装置１００が有しているか否かを判別する（Ｓ４０７）。
【０１０６】
ステップＳ４０７において、共有ボックス機能を画像形成装置１００が有していると判別した場合（Ｓ４０７でＹＥＳ）、バックアップ制御部１２０のＣＰＵは、ＨＤＤ１３１の共有ボックス領域に保存済みのデータがあるか否か（共有ボックス機能をユーザーが実行したか否か）を判別する（Ｓ４０９）。
【０１０７】
ステップＳ４０９において、ＨＤＤ１３１の共有ボックス領域に保存済みのデータがあると判別した場合（Ｓ４０９でＹＥＳ）、バックアップ制御部１２０のＣＰＵは、共有ボックス領域を利用可能な全てのユーザーが保存済みのデータを読み出したか否かを判別する（Ｓ４１１）。
【０１０８】
ステップＳ４１１において、共有ボックス領域を利用可能な全てのユーザーが保存済みのデータを読み出したと判別した場合（Ｓ４１１でＹＥＳ）、移動対象データのうち、共有ボックスに保存されているデータを復元対象データとして決定し（移動対象データを復元する条件が発生したと決定し）（Ｓ４１３）、ステップＳ４１５の処理へ進む。
【０１０９】
ステップＳ４０７において、共有ボックス機能を画像形成装置１００が有していないと判別した場合（Ｓ４０７でＮＯ）、ステップＳ４０９において、ＨＤＤ１３１の共有ボックス領域に保存済みのデータが無いと判別した場合（Ｓ４０９でＮＯ）、またはステップＳ４１１において、共有ボックス領域を利用可能な全てのユーザーが保存済みのデータを読み出していないと判別した場合（Ｓ４１１でＮＯ）、バックアップ制御部１２０のＣＰＵは、ステップＳ４１５の処理へ進む。
【０１１０】
ステップＳ４１５において、バックアップ制御部１２０のＣＰＵは、サービスモードのメニューを表示部１６５に表示したか否かを判別する（Ｓ４１５）。
【０１１１】
ステップＳ４１５において、サービスモードのメニューを表示部１６５に表示したと判別した場合（Ｓ４１５でＹＥＳ）、バックアップ制御部１２０のＣＰＵは、移動対象データのうち、サービスモードの描画データを復元対象として決定し（移動対象データを復元する条件が発生したと決定し）（Ｓ４１７）、リターンする。
【０１１２】
ステップＳ４１５において、サービスモードのメニューを表示部１６５に表示しないと判別した場合（Ｓ４１５でＮＯ）、バックアップ制御部１２０のＣＰＵは、リターンする。
【０１１３】
［実施の形態の効果］
【０１１４】
上述の実施の形態によれば、２つのＨＤＤのうち容量の大きいＨＤＤが故障した場合に、正常なＨＤＤから書き換えが発生する可能性が低いデータを選択し、フラッシュメモリに移動する。これにより、フラッシュメモリのデータが書き換えられる可能性を低くすることができ、フラッシュメモリの寿命の低下を抑止することができる。加えて、データの移動により空いた領域を一時保存に使用することができる。その結果、画像形成装置のパフォーマンスの低下を抑止しつつ、画像形成装置１００を継続して使用することが可能となる。
【０１１５】
［その他］
【０１１６】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１１７】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１８】
１００  画像形成装置
１１０  メインＣＰＵ（Ｃｅｎｔｒａｌ  Ｐｒｏｃｅｓｓｉｎｇ  Ｕｎｉｔ）
１２０  バックアップ制御部
１２１  データ判断部
１２２  アクセス制御部
１２３  バックアップシステムコントローラー
１３０  記憶部
１３１，１３２  ＨＤＤ（Ｈａｒｄ  Ｄｉｓｋ  Ｄｒｉｖｅ）
１３３  フラッシュメモリ
１４０  システムメモリ
１４５  不揮発メモリ
１５０  ＲＴＣ（Ｒｅａｌ−Ｔｉｍｅ  Ｃｌｏｃｋ）
１５５  ネットワークＩ／Ｆ
１６０  操作部
１６５  表示部
１７０  読取部
１７５  画像形成部
ＤＡ  データ
【図１】
2016139252.tif 000003
【図２】
2016139252.tif 000004
【図３】
2016139252.tif 000005
【図４】
2016139252.tif 000006
【図５】
2016139252.tif 000007
【図６】
2016139252.tif 000008
【図７】
2016139252.tif 000009
【図８】
2016139252.tif 000010
【図９】
2016139252.tif 000011
【図１０】
2016139252.tif 000012
【図１１】
2016139252.tif 000013
【図１２】
2016139252.tif 000014
【図１３】
2016139252.tif 000015
【図１４】
2016139252.tif 000016